(57)【特許請求の範囲】
【請求項１】
負荷または充電器が接続される正負の接続端子とバッテリーセルとを有し、これらの接続端子の一方とバッテリーセルとの間に直列に電子スイッチが形成されて成り、
上記バッテリーセルの規定端子電圧を検出する検出手段が設けられ、
上記検出手段で上記バッテリーセルの端子電圧が規定値以上であることを検出した時は、上記検出手段を通じて上記電子スイッチに微小電流を流すことにより、上記負荷接続時または充電器接続時の上記電子スイッチの一方の端子電圧を変化させ、この端子電圧の変化により上記電子スイッチの制御電圧を増加して、上記バッテリーセルから負荷への電流の供給、または上記充電器からバッテリーセルへの充電電流の供給が行われるように成すと共に、
上記検出手段で上記バッテリーセルの端子電圧が規定値以下であることを検出した時は、上記電子スイッチへのバイアス電流の供給を遮断することによって、上記正負の接続端子の一方と上記バッテリーセルとの接続を断つように成したことを特徴とするバッテリー保護回路。
【請求項２】
上記電子スイッチの上記負荷接続時の電流方向と、上記充電器接続時の電流方向とが逆方向である請求項１記載のバッテリー保護回路。
【請求項３】
上記電子スイッチの一方の端子電圧が正電圧であることを検出して上記電子スイッチに正方向の動作電流を流すように上記バイアス電流に制御電流を重畳する放電制御手段と、
上記電子スイッチの一方の端子電圧が負電圧であることを検出して上記電子スイッチに負方向の動作電流を流すように上記バイアス電流に制御電流を重畳する充電制御手段とを有する請求項１記載のバッテリー保護回路。
【請求項４】
上記正負の接続端子に充電器が接続され且つ充電が停止されている時に、上記電子スイッチの一方の端子電圧が正電圧であることを検出して上記充電制御手段を非動作にする手段を設けた請求項３記載のバッテリー保護回路。
【請求項５】
上記電子スイッチの一方の端子電圧が正電圧で所定値以上の電圧を検出する高電圧検出手段を有し、
上記高電圧検出手段で所定値以上の電圧を検出した時は上記放電制御手段の出力を遮断するようにした請求項３記載のバッテリー保護回路。
【請求項６】
上記放電制御手段及び充電制御手段の電源が上記規定端子電圧検出手段を通じて供給されるようにした請求項３、４または５記載のバッテリー保護回路。
【請求項７】
上記電子スイッチに上記バイアス電流を供給する供給路に直列に温度検出手段が接続され、
上記温度検出手段の検出温度に応じて上記電子スイッチの電流を所定値に制御するようにした請求項１、２または３記載のバッテリー保護回路。
【請求項８】
請求項１〜７のいずれか記載のバッテリー保護回路において、
上記バッテリーセルは別体として、上記正負の接続端子とは異なる接続端子を介して接続され、上記バッテリーセルと上記負荷との間にアダプターとして設けられるようにしたバッテリー保護回路。
【請求項９】
請求項１〜８のいずれか記載のバッテリー保護回路において、
上記検出手段で検出される電圧に応じた表示を行う表示手段が設けられたことを特徴とするバッテリー保護回路。
【発明の詳細な説明】
【０００１】
【産業上の利用分野】
本発明は、バッテリーパックに内蔵、または充電器若しくはバッテリーで駆動される機器等に内蔵、あるいはバッテリーパックと機器との間に設けられるアダプターに内蔵されるバッテリー保護回路に関するものである。
【０００２】
【従来の技術】
例えばバッテリーパックは、放置されても自己放電の量は僅かであり、通常の室温環境では１年程度放置されても過放電領域になることはない。ところがビデオカメラ等に接続された状態で放置されると、ビデオカメラのスイッチが切られていても２〜２０ｍＡ程度の暗電流が流れるものがある。このため１〜６ヵ月程度で過放電領域に達し、最悪の場合には普通の充電器では回復できないような状態になってしまう恐れがある。
【０００３】
そこでこのようなバッテリーパックにはバッテリー保護回路を内蔵し、過充電や過放電の保護が行われるようにされる。すなわちこのバッテリー保護回路においては、負荷または充電器が接続される正負の接続端子の一方とバッテリーセルとの間に直列に電子スイッチが形成され、過充電時や過放電時にはこの電子スイッチを用いて保護動作が行われる。
【０００４】
ところでこのような回路において、接続端子に負荷が接続された放電時と、充電器が接続された充電時とでは、回路に流れる電流の方向が逆方向になる。このため上述の電子スイッチには、電流を双方向に流すことのできるＦＥＴを用いるか、それぞれの方向のトランジスタを並列に設けて、放電時と充電時の電流を流すようにしていた。
【０００５】
またこの回路において、過充電を防止するためにはバッテリーセルの温度を検出して回路を開閉する感温スイッチ等が用いられていた。さらに充放電の検出には、出力に影響を与えない程度の低抵抗が電源に直列に挿入される。そしてこの充放電を検出する検出器には、ここでの消費によって放電が進んでしまうことが無いように、電力消費の少ないＣ−ＭＯＳ回路等が用いられていた。
【０００６】
【発明が解決しようとする課題】
しかしながら上述の回路において、ＦＥＴや感温スイッチ、低抵抗、Ｃ−ＭＯＳ回路等は、いずれも比較的高価な回路素子である。またトランジスタを並列に設けてそれぞれを所定の条件で駆動するためには、背後に複雑な回路構成が必要になる。このためこのような保護回路を設けることによって、バッテリーパックのコストの上昇等を招くものであった。
【０００７】
さらに、過充電の防止のために感温スイッチ等の温度検出回路を用いていた場合には、接続端子間のチェーンショートのような異常負荷の状態になったときに検出回路がチャタリングを起こし、これによって発煙、発火等のあってはならない事故が引き起こされる恐れがあった。
【０００８】
この出願はこのような点に鑑みて成されたものであって、解決しようとする問題点は、従来の回路ではコストの上昇等を招くものであり、また発煙、発火等のあってはならない事故が引き起こされる恐れがあったというものである。
【０００９】
【課題を解決するための手段】
本発明による第１の手段は、負荷または充電器が接続される正負の接続端子１、２とバッテリーセル３とを有し、これらの接続端子の一方とバッテリーセルとの間に直列に電子スイッチ（トランジスタ４）が形成されて成り、上記バッテリーセル３の規定端子電圧を検出する検出手段（電圧検出回路５）が設けられ、上記検出手段５で上記バッテリーセル３の端子電圧が規定値以上であることを検出した時は、上記検出手段５を通じて上記電子スイッチ４に微小電流を流すことにより、上記負荷接続時または充電器接続時の上記電子スイッチ４の一方の端子電圧を変化させ、この端子電圧の変化により上記電子スイッチ４の制御電圧を増加して、上記バッテリーセル３から負荷への電流の供給、または上記充電器からバッテリーセル３への充電電流の供給が行われるように成すと共に、上記検出手段５で上記バッテリーセル３の端子電圧が規定値以下であることを検出した時は、上記電子スイッチ４へのバイアス電流の供給を遮断することによって、上記正負の接続端子１、２の一方と上記バッテリーセル３との接続を断つように成したことを特徴とするバッテリー保護回路である。
【００１０】
本発明による第２の手段は、上記電子スイッチ４の上記負荷接続時の電流方向と、上記充電器接続時の電流方向とが逆方向である第１の手段記載のバッテリー保護回路である。
【００１１】
本発明による第３の手段は、上記電子スイッチ４の一方の端子電圧が正電圧であることを検出して上記電子スイッチ４に正方向の動作電流を流すように上記バイアス電流に制御電流を重畳する放電制御手段（コンパレータ９）と、上記電子スイッチ４の一方の端子電圧が負電圧であることを検出して上記電子スイッチに負方向の動作電流を流すように上記バイアス電流に制御電流を重畳する充電制御手段（コンパレータ１０）とを有する第１の手段記載のバッテリー保護回路である。
【００１２】
本発明による第４の手段は、上記正負の接続端子１、２に充電器が接続され且つ充電が停止されている時に、上記電子スイッチ４の一方の端子電圧が正電圧であることを検出して上記充電制御手段（コンパレータ１０）を非動作にする手段（抵抗器１４）を設けた第３の手段記載のバッテリー保護回路である。
【００１３】
本発明による第５の手段は、上記電子スイッチ４の一方の端子電圧が正電圧で所定値以上の電圧を検出する高電圧検出手段（トランジスタ１７、抵抗器１８、１９）を有し、上記高電圧検出手段で所定値以上の電圧を検出した時は上記放電制御手段（コンパレータ９）の出力を遮断するようにした第３の手段記載のバッテリー保護回路である。
【００１４】
本発明による第６の手段は、上記放電制御手段（コンパレータ９）及び充電制御手段（コンパレータ１０）の電源が上記規定端子電圧検出手段（電圧検出回路５）を通じて供給されるようにした第３、４または５の手段記載のバッテリー保護回路である。
【００１５】
本発明による第７の手段は、上記電子スイッチ４に上記バイアス電流を供給する供給路に直列に温度検出手段（ＰＴＣ８）が接続され、上記温度検出手段の検出温度に応じて上記電子スイッチ４の電流を所定値に制御するようにした第１、２または３の手段記載のバッテリー保護回路である。
【００１６】
本発明による第８の手段は、第１〜７のいずれかの手段記載のバッテリー保護回路において、上記バッテリーセル３は別体として、上記正負の接続端子１、２とは異なる接続端子２１、２２を介して接続され、上記バッテリーセル３と上記負荷との間にアダプターとして設けられるようにしたバッテリー保護回路である。
【００１７】
本発明による第９の手段は、第１〜８のいずれかの手段記載のバッテリー保護回路において、上記検出手段（電圧検出回路５）で検出される電圧に応じた表示を行う表示手段（発光ダイオード２０）が設けられたことを特徴とするバッテリー保護回路である。
【００１８】
【作用】
これによれば、バッテリーセルの端子電圧が規定値以上であることを検出した時は、検出手段を通じて電子スイッチに微小電流を流すことにより、負荷接続時または充電器接続時の電子スイッチの一方の端子電圧を変化させ、この端子電圧の変化により電子スイッチの制御電圧を増加して、バッテリーセルから負荷への電流の供給、または充電器からバッテリーセルへの充電電流の供給が行われるように成すと共に、バッテリーセルの端子電圧が規定値以下であることを検出した時は、電子スイッチへのバイアス電流の供給を遮断することによって、正負の接続端子の一方とバッテリーセルとの接続を断つように成したことによって、過充電や過放電の保護が良好に行われるようにすることができる。
【００１９】
また、電子スイッチの負荷接続時の電流方向と充電器接続時の電流方向とが逆方向であるようにすることができる。
【００２０】
さらに、電子スイッチの一方の端子電圧が正電圧であることを検出して電子スイッチに正方向の動作電流を流すようにバイアス電流に制御電流を重畳する放電制御手段と、電子スイッチの一方の端子電圧が負電圧であることを検出して電子スイッチに負方向の動作電流を流すようにバイアス電流に制御電流を重畳する充電制御手段とを有することによって、安価なトランジスタを１個だけ用いて電子スイッチを形成することができ、全体のコストを低下させることができる。
【００２１】
また、正負の接続端子に充電器が接続され且つ充電が停止されている時に、電子スイッチの一方の端子電圧が正電圧であることを検出して充電制御手段を非動作にする手段を設けようにしたので、不必要なときに不必要な暗電流が流れるのを防止することができる。
【００２２】
さらに、電子スイッチの一方の端子電圧が正電圧で所定値以上の電圧を検出する高電圧検出手段を有し、この高電圧検出手段で所定値以上の電圧を検出した時は放電制御手段の出力を遮断するようにしたので、端子短絡等の後の微妙な温度変化等によって温度検出回路等がチャタリングを起こす恐れがなく、発煙、発火等のあってはならない事故が引き起こされる恐れがなく、安全な回路を形成することができる。
【００２３】
また、放電制御手段及び充電制御手段の電源が規定端子電圧検出手段を通じて供給されることによって、これらの内部の回路を流れる暗電流を大幅に減少させることができる。
【００２４】
さらに、電子スイッチにバイアス電流を供給する供給路に直列に温度検出手段が接続され、温度検出手段の検出温度に応じて電子スイッチの電流を所定値に制御することによって、安定且つ安全な回路を形成することができる。
【００２５】
また、バッテリーセルは別体として、正負の接続端子とは異なる接続端子を介して接続され、バッテリーセルと負荷との間にアダプターとして設けられるようにすることによって、既存のバッテリーパックや負荷に対しても良好なバッテリー保護回路を提供することができる。
【００２６】
さらに、検出手段で検出される電圧に応じた表示を行う表示手段が設けられたことによって、良好にバッテリーセルの残量の表示を行うことができる。
【００２７】
【実施例】
図１において、１は正の接続端子、２は負の接続端子であって、これらの接続端子１、２の間に負荷または充電器（いずれも図示せず）が接続される。また３はバッテリーセルを示し、このバッテリーセル３の正電極が正の接続端子１に接続される。さらにバッテリーセル３の負電極が接地されると共に、電子スイッチとなるｎｐｎトランジスタ４のエミッタに接続される。そしてこのトランジスタ４のコレクタが負の接続端子２に接続される。
【００２８】
さらに、５は電圧検出回路であって、この電圧検出回路５はバッテリーセル３の両電極端子間に接続され、端子電圧が検出電圧（例えば５ボルト）以上のときに高電位が出力される。この電圧検出回路５の出力が抵抗器６、７及び正の温度係数の抵抗器（ＰＴＣ）８の直列回路を通じてトランジスタ４のベースに接続される。また電圧検出回路５の出力が、放電時制御手段を構成するコンパレータ９及び充電時制御手段を構成するコンパレータ１０の電源端に接続される。
【００２９】
また、バッテリーセル３の両電極間に分圧用の抵抗器１１、１２が接続され、この分圧出力が、コンパレータ９、１０の負入力端子に接続される。さらにコンパレータ９の正入力端子が抵抗器１３を通じて接続端子２に接続される。またコンパレータ１０の正入力端子が接地される。さらに接続端子２が抵抗器１４を通じて抵抗器１１、１２の分圧点に接続される。
【００３０】
さらに、これらのコンパレータ９、１０の出力が、それぞれｎｐｎトランジスタ１５、１６のベースに接続される。そしてこれらのトランジスタ１５、１６のコレクタが接続端子１に接続されると共に、エミッタが抵抗器６、７の接続中点に接続される。
【００３１】
また、コンパレータ９の出力が、ｎｐｎトランジスタ１７のコレクタ−エミッタを通じて接地される。このトランジスタ１７のベースが抵抗器１８を通じて接地されると共に、接続端子２が抵抗器１９を通じてトランジスタ１７のベースに接続される。
【００３２】
従ってこの装置において、例えば接続端子１、２の間に負荷も充電器も接続されていない場合には、バッテリーセル３の端子電圧が検出電圧（例えば５ボルト）より大（例えば６ボルト）の時は、電圧検出回路５の出力側から抵抗器６、７、ＰＴＣ８を通じてトランジスタ４のベースにバイアス電圧が供給され、トランジスタ４には微小電流が流される。
【００３３】
この時、トランジスタ４のコレクタは電圧が低いので、コンパレータ９の正入力端子はその負入力端子よりも電圧が低く、コンパレータ９の出力は低電位になっている。またこの時、コンパレータ１０の負入力端子はその正入力端子よりも電圧が高いので、コンパレータ１０の出力も低電位になっている。このためトランジスタ１５、１６は共にオフになっている。
【００３４】
次に、接続端子１、２の間に負荷が接続された場合には、負荷（図示せず）を通じてトランジスタ４のコレクタに正電圧が供給される。このためコンパレータ９の正入力端子の電圧が上昇してこの出力が高電位になり、トランジスタ４のベース電圧が増加してトランジスタ４には４００ｍＡ以上のコレクタ電流が流れ、バッテリーセル３が動作する。この時コンパレータ１０の出力は低電位を維持する。
【００３５】
また、この状態からバッテリーセル３が消費されて、電圧検出回路５の入力が検出電圧以下になると、電圧検出回路５の出力が零になる。このためコンパレータ９の電源電圧が供給されなくなると共に、抵抗器６を通じて供給されていたバイアス電圧も零になるので、トランジスタ４はオフになる。従って、暗電流は流れず、過放電になることがない。
【００３６】
さらに、接続端子１、２の間に充電器が接続された場合には、トランジスタ４のコレクタは負電圧となり、またトランジスタ４のベースにはバイアス電圧が供給されるため、トランジスタ４はエミッタからコレクタ方向に電流が流れる。またトランジスタ４のコレクタが負電圧になると、コンパレータ９は正入力端子が負入力端子よりも低電圧となるので、コンパレータ９の出力は低電位になる。
【００３７】
一方コンパレータ１０の負入力端子には負電圧が供給され、正入力端子には零電圧が供給されているため、コンパレータ１０の出力が高電位になる。このためトランジスタ１６がオンになってトランジスタ４のベースにはバイアス電圧にトランジスタ１６を通じたベース電流が重畳される。従って、接続端子１→バッテリーセル３→トランジスタ４→接続端子２の回路により充電が行われる。
【００３８】
また、接続端子１、２の間が誤ってショートされた場合には、バッテリーセル３が検出電圧（例えば５ボルト）以上の電圧を有していれば電圧検出回路５から供給されるバイアス電圧でトランジスタ４には微小電流が流れるが、僅かな電流であるために事故になることはない。
【００３９】
さらに、トランジスタ４のコレクタが所定以上の電圧になると、抵抗器１８、１９で決まる電圧がトランジスタ１７のベースに供給され、コンパレータ９の出力は強制的に低電位にされる。そして電流が少しずつ流れて、バッテリーセル３が検出電圧以下になると、電圧検出回路５の出力が無くなり、バイアス電圧が供給されなくなって、トランジスタ４はオフになる。
【００４０】
こうして上述の装置によれば、バッテリーセル３の端子電圧が規定値以上であることを検出した時は、検出手段（電圧検出回路５）を通じて電子スイッチ（トランジスタ４）に微小電流を流すことにより、負荷接続時または充電器接続時の電子スイッチ４の一方の端子電圧を変化させ、この端子電圧の変化により電子スイッチ４の制御電圧を増加して、バッテリーセル３から負荷への電流の供給、または充電器からバッテリーセル３への充電電流の供給が行われるように成すと共に、バッテリーセル３の端子電圧が規定値以下であることを検出した時は、電子スイッチ４へのバイアス電流の供給を遮断することによって、正負の接続端子１、２の一方とバッテリーセル３との接続を断つように成したことによって、過放電の保護が良好に行われるようにすることができるものである。
【００４１】
また、電子スイッチ４の負荷接続時の電流方向と充電器接続時の電流方向とが逆方向であるようにすることができるものである。
【００４２】
さらに、電子スイッチ４の一方の端子電圧が正電圧であることを検出して電子スイッチ４に正方向の動作電流を流すようにバイアス電流に制御電流を重畳する放電制御手段（コンパレータ９）と、電子スイッチ４の一方の端子電圧が負電圧であることを検出して電子スイッチに負方向の動作電流を流すようにバイアス電流に制御電流を重畳する充電制御手段（コンパレータ１０）とを有することによって、安価なトランジスタを１個だけ用いて電子スイッチ４を形成することができ、全体のコストを低下させることができるものである。
【００４３】
また、正負の接続端子１、２に充電器が接続され且つ充電が停止されている時に、電子スイッチ４の一方の端子電圧が正電圧であることを検出して充電制御手段（コンパレータ１０）を非動作にする手段（抵抗器１４）を設けようにしたので、不必要な暗電流が流れるのを防止することができるものである。
【００４４】
さらに、電子スイッチ４の一方の端子電圧が正電圧で所定値以上の電圧を検出する高電圧検出手段（トランジスタ１７、抵抗器１８、１９）を有し、この高電圧検出手段で所定値以上の電圧を検出した時は放電制御手段（コンパレータ９）の出力を遮断するようにしたので、端子短絡等の後の微妙な温度変化等によって温度検出回路（ＰＴＣ８）等がチャタリングを起こす恐れがなく、発煙、発火等のあってはならない事故が引き起こされる恐れがなく、安全な回路を形成することができるものである。
【００４５】
また、放電制御手段（コンパレータ９）及び充電制御手段（コンパレータ１０）の電源が規定端子電圧検出手段（電圧検出回路５）を通じて供給されることによって、これらの内部の回路を流れる暗電流を大幅に減少させることができるものである。
【００４６】
さらに、電子スイッチ４にバイアス電流を供給する供給路に直列に温度検出手段（ＰＴＣ８）が接続され、温度検出手段の検出温度に応じて電子スイッチ４の電流を所定値に制御することによって、安定且つ安全な回路を形成することができ、特に異常充電等でバッテリーセル３の温度が異常に上昇するのを防ぐことができる。
【００４７】
なお、上述の回路において、温度検出手段としてのＰＴＣ８は、図示の位置に限らず、ａで示す破線の位置でもよい。この場合には、充電時以外はバイアス電流がＰＴＣ８を通らないので、これによる電力消費を削減することができる。
【００４８】
また、コンパレータ９、１０の電源は、電圧検出回路５の出力ではなく、別途に暗電流制限用のツェナーダイオードｂを設けて供給するようにしてもよい。
【００４９】
さらに上述の回路は、バッテリーパックに内蔵されるに限らず、充電器や、バッテリーで駆動される機器等に内蔵させることもできる。
【００５０】
また、上述の回路において、バッテリーセル３は上述の保護回路とは別体とすることもできる。すなわち図１に示すようにバッテリーセル３の両端に接続端子２１、２２を設けることによって、バッテリーセル３を保護回路とは別体とすることができる。
【００５１】
これによって既存のバッテリーパックや負荷に対しても、本発明のバッテリー保護回路を適用することができる。そして例えばこの回路をアダプターとして形成することにより、このアダプターをバッテリーパックと負荷との間に設けて上述の動作を行わせることができる。
【００５２】
さらに、負荷側の接続端子１、２を複数組設けることによって、例えばビデオカメラとライトの両方に電源を供給するようなアダプターに本発明のバッテリー保護回路を適用することができる。
【００５３】
こうして上述の装置によれば、バッテリーセル３は別体として、正負の接続端子１、２とは異なる接続端子２１、２２を介して接続され、バッテリーセル３と負荷との間にアダプターとして設けられるようにすることによって、既存のバッテリーパックや負荷に対しても良好なバッテリー保護回路を提供することができる。
【００５４】
さらに、上述の回路において、電圧検出回路５ではバッテリーセル３の電圧が常に検出されている。そこでこの電圧検出回路５からの信号を発光ダイオード２０に供給して、バッテリーセル３の残量の表示を行うことができる。なおこのようなバッテリーセル３の残量の表示の詳細は、例えば本願出願人が先に提出した特願平４−３５３６０５号（特開平６−１８９４６１号公報）に示された回路を用いて行うことができるものである。
【００５５】
こうして上述の装置によれば、検出手段（電圧検出回路５）で検出される電圧に応じた表示を行う表示手段（発光ダイオード２０）が設けられたことによって、良好にバッテリーセル３の残量の表示を行うことができる。
【００５６】
【発明の効果】
この発明によれば、バッテリーセルの端子電圧が規定値以上であることを検出した時は、検出手段を通じて電子スイッチに微小電流を流すことにより、負荷接続時または充電器接続時の電子スイッチの一方の端子電圧を変化させ、この端子電圧の変化により電子スイッチの制御電圧を増加して、バッテリーセルから負荷への電流の供給、または充電器からバッテリーセルへの充電電流の供給が行われるように成すと共に、バッテリーセルの端子電圧が規定値以下であることを検出した時は、電子スイッチへのバイアス電流の供給を遮断することによって、正負の接続端子の一方とバッテリーセルとの接続を断つように成したことによって、過充電や過放電の保護が良好に行われるようにすることができるようになった。
【００５７】
また、電子スイッチの負荷接続時の電流方向と充電器接続時の電流方向とが逆方向であるようにすることができるようになった。
【００５８】
さらに、電子スイッチの一方の端子電圧が正電圧であることを検出して電子スイッチに正方向の動作電流を流すようにバイアス電流に制御電流を重畳する放電制御手段と、電子スイッチの一方の端子電圧が負電圧であることを検出して電子スイッチに負方向の動作電流を流すようにバイアス電流に制御電流を重畳する充電制御手段とを有することによって、安価なトランジスタを１個だけ用いて電子スイッチを形成することができ、全体のコストを低下させることができるようになった。
【００５９】
また、正負の接続端子に充電器が接続され且つ充電が停止されている時に、電子スイッチの一方の端子電圧が正電圧であることを検出して充電制御手段を非動作にする手段を設けようにしたので、不必要な暗電流が流れるのを防止することができるようになった。
【００６０】
さらに、電子スイッチの一方の端子電圧が正電圧で所定値以上の電圧を検出する高電圧検出手段を有し、この高電圧検出手段で所定値以上の電圧を検出した時は放電制御手段の出力を遮断するようにしたので、端子短絡等の後の微妙な温度変化等によって温度検出回路等がチャタリングを起こす恐れがなく、発煙、発火等のあってはならない事故が引き起こされる恐れがなく、安全な回路を形成することができるようになった。
【００６１】
また、放電制御手段及び充電制御手段の電源が規定端子電圧検出手段を通じて供給されることによって、これらの内部の回路を流れる暗電流を大幅に減少させることができるようになった。
【００６２】
さらに、電子スイッチにバイアス電流を供給する供給路に直列に温度検出手段が接続され、温度検出手段の検出温度に応じて電子スイッチの電流を所定値に制御することによって、安定且つ安全な回路を形成することができるようになった。
【００６３】
また、バッテリーセルは別体として、正負の接続端子とは異なる接続端子を介して接続され、バッテリーセルと負荷との間にアダプターとして設けられるようにすることによって、既存のバッテリーパックや負荷に対しても良好なバッテリー保護回路を提供することができる。
【００６４】
さらに、検出手段で検出される電圧に応じた表示を行う表示手段が設けられたことによって、良好にバッテリーセルの残量の表示を行うことができる。
【図面の簡単な説明】
【図１】本発明によるバッテリー保護回路の一例の構成図である。
【符号の説明】
１  正の接続端子
２  負の接続端子
３  バッテリーセル
４、１５、１６、１７  ｎｐｎトランジスタ
５  電圧検出回路
６、７、１１〜１４、１８、１９  抵抗器
８  正の温度係数の抵抗器（ＰＴＣ）
９、１０  コンパレータ
２０  発光ダイオード
２１、２２  バッテリーセルの接続端子
【図１】
0003567512.tif 000002